(57)【要約】【課題】汚物を粉砕する際に、汚物が溜水面からボウル部の外部に飛散すること、汚物が溜水面から溜水部より上方のボウル部の内面に飛散すること、又は溜水面が乱れることによりその水位が上昇して溜水部より上方のボウル部の内面に汚物が付着することを抑制できるポータブルトイレ装置を提供する。【解決手段】ポータブルトイレ装置１は、ボウル部下方に溜水面を形成する溜水部１４と、溜水内に配置される回転体２６と、を有し、溜水部は、回転体近傍に形成され回転体近傍に第１回転流を発生させる第１回転流発生部４０と、溜水面に第２回転流を発生させる第２回転流発生部４２とを備え、第１回転流発生部の第１回転流Ｆ１により汚物を粉砕し、第２回転流発生部４２は、溜水面の近傍において第１回転流よりも流速が遅い第２回転流Ｆ２を発生させ、第２回転流Ｆ２により溜水面近傍の汚物を第１回転流発生部４０へ移動させる。【選択図】図１４
2018204218.tif 000002
【特許請求の範囲】
【請求項１】
汚物を粉砕して排出する移動可能なポータブルトイレ装置であって、
上方に向けて開口したボウル形状の汚物受け面を備えたボウル部と、
上記ボウル部と連通する排水管路と、
上記排水管路の下流側に接続される可撓性の排水ホースと、
上記ボウル部下方に溜水面を形成するように、上記排水管路の上流側に溜水を貯留する溜水部と、
上記ボウル部に洗浄水を供給する給水部と、
上記溜水部に貯留された溜水内に配置されると共に上記溜水部内に回転流を発生させる回転体と、を有し、
上記溜水部は、
上記回転体近傍に形成され、上記回転体近傍に第１回転流を発生させる第１回転流発生部と、
上記溜水面に上記第１回転流とは異なる回転流である第２回転流を発生させる第２回転流発生部とを備え、
上記第１回転流発生部は、上記回転体の回転により、第１回転流を発生させ、この第１回転流により汚物を粉砕し、
上記第２回転流発生部は、上記溜水面の近傍において上記第１回転流よりも流速が遅い第２回転流を発生させ、この第２回転流により上記溜水面近傍の汚物を上記第１回転流発生部へ移動させることを特徴とする、ポータブルトイレ装置。
【請求項２】
上記回転体は、上面視において上記ボウル部下方の上記溜水面とは重ならない位置に設けられ、上記第１回転流発生部及び上記第２回転流発生部は、上面視において水平方向に並んで形成され、上記第１回転流及び上記第２回転流は、それぞれ上面視において水平方向に回転する回転流として形成される、請求項１に記載のポータブルトイレ装置。
【請求項３】
上記回転体の回転軸は、鉛直方向に延びている、請求項２に記載のポータブルトイレ装置。
【請求項４】
上記第１回転流発生部及び上記第２回転流発生部は、上記第２回転流が、上記第１回転流とは反対の方向に回転するように配置されている、請求項２又は３に記載のポータブルトイレ装置。
【請求項５】
上記第１回転流発生部は、上面視において、その内壁の少なくとも一部が、上記回転体の回転軸を中心とする仮想円に沿った壁面となるように形成されている、請求項２乃至４の何れか一項に記載のポータブルトイレ装置。
【請求項６】
上記第２回転流発生部は、上面視において、上記第１回転流発生部と反対側の壁面が略円弧形状となるように形成されている、請求項２乃至５の何れか一項に記載のポータブルトイレ装置。
【請求項７】
上記回転体は、上記溜水部内に一つのみ設けられ、
上記回転体により発生された上記第１回転流が、上記第２回転流発生部における上記第２回転流を誘発させる、請求項２乃至６の何れか一項に記載のポータブルトイレ装置。
【請求項８】
上記溜水部には、上記第１回転流発生部と上記第２回転流発生部との間に、上記第１回転流の一部を上記第２回転流発生部側へと分流させる分流部が設けられている、請求項７に記載のポータブルトイレ装置。
【請求項９】
上記溜水部には、上記分流部から上記第２回転流発生部側へと向かう水流を壁面に沿って誘導する誘導部が、上記溜水部の水平断面において、上記分流部よりも第２回転流発生部側の内壁面に設けられている、請求項８に記載のポータブルトイレ装置。
【請求項１０】
上記回転体は、上記溜水部内に貯留されている溜水の上部に配置されている、請求項２乃至９の何れか一項に記載のポータブルトイレ装置。
【請求項１１】
上記第２回転流発生部は、上記第２回転流の外周側の流れを中心側に向けるようにガイドするガイド部を有する、請求項２乃至１０の何れか一項に記載のポータブルトイレ装置。
【請求項１２】
上記溜水面を取り囲む上記ボウル部の壁面が、緩やかな傾斜の緩傾斜部と、上記緩傾斜部よりも急な傾斜の急傾斜部を備え、
上記ガイド部は、壁面の曲率半径が次第に小さくなるように形成され、これにより、上記ガイド部によりガイドされる上記第２回転流の回転中心が上記緩傾斜部側に偏心される、請求項１１に記載のポータブルトイレ装置。
【請求項１３】
さらに、上記溜水部内で粉砕した汚物を洗浄水とともに圧送して上記排水管路の下流側へ排出する圧送部を備えることを特徴とする請求項１に記載のポータブルトイレ装置。
【請求項１４】
さらに、上記溜水部内で粉砕した汚物を洗浄水とともに吸引して上記排水管路の下流側へ排出する吸引装置を備えることを特徴とする請求項１に記載のポータブルトイレ装置。
【発明の詳細な説明】
【技術分野】
【０００１】
本発明は、ポータブルトイレ装置に係り、特に、汚物を粉砕して排出するポータブルトイレ装置に関する。
【背景技術】
【０００２】
トイレ移動がやや困難な身体状態となっている人にとって、トイレで自力で排泄を行うことができることは、寝たきりになるか否かの分かれ道となるほど重要な行為と考えられる。また、トイレで自力で排泄を行うことができることは、人間の尊厳に大きく関わることである。トイレで自力で排泄を行うことは、高齢化社会が進むにつれ、非常に重要な課題となる。
そこで、特許文献１に示すように、設置自由度の高いトイレ装置が提案されている。このようなトイレ装置は、粉砕室内にて水流の攪拌により汚物を粉砕し、その後粉砕した汚物を汚水とともに圧送して排水するようになっている。これにより、トイレ装置を使用者の居室内に設置することができ、人間の尊厳を守った状態で排泄を可能にすることができる。今後進むと予想される高齢化社会において、このように居室等において使用可能なトイレ装置を普及させることは、非常に重要な課題である。
【先行技術文献】
【特許文献】
【０００３】
【特許文献１】特開２０１３−２０４３８７号
【特許文献２】特開２０１５−１５１６９４号
【発明の概要】
【発明が解決しようとする課題】
【０００４】
しかしながら、特許文献１のようなトイレ装置では、汚物を粉砕するための粉砕室を設ける必要があり、さらにその粉砕室を設置するスペースが必要であった。そのため、粉砕室を設けるためにコストがかかったり、粉砕室を設置するためにトイレ装置全体が大型化し、トイレ装置が居室になじみ難くなったりするという問題がある。さらに、粉砕室を設けることでメンテナンスにおいては粉砕室の分解が必要となり、メンテナンスも困難となる。これらの問題は、居室等において使用可能なトイレ装置の普及にあたり、重要な問題である。
【０００５】
そこで、特許文献２に示すように、粉砕室を設けないトイレ装置が提案されている。特許文献２に示すトイレ装置においては、溜水部内に汚物を粉砕する回転体を設けることで、粉砕室を別途設けない構造が提案されている。
【０００６】
しかしながら、トイレ装置において粉砕が必要とされる汚物は、固形汚物だけでなく、溜水内に浮遊する浮遊汚物、ペーパーなど様々な種類の汚物がある。特許文献２に示すような粉砕室を設けない構造で全ての種類の汚物を確実に粉砕しようとする場合には、回転体により溜水部の水を大きく攪拌させ、又は溜水部中に流速の速い水流を形成させる必要がある。このとき、溜水面が大きく乱れてしまい、汚物が溜水面から便器の外部に飛散したり、汚物が溜水部より上方の便器の内壁面に飛散したり、又は溜水面の水位が上昇して溜水部より上方の便器の内壁面に汚物が付着したりする、という新たな課題が生じる。特に、水洗ポータブルトイレ装置は、使用者の居室内に配置されるものであるため、これらの課題は使用者に致命的な不快感を与えることとなる。
【０００７】
そこで、本発明は、上述した課題を解決するためになされたものであり、汚物を粉砕する際に、汚物が溜水面からボウル部の外部に飛散すること、汚物が溜水面から溜水部より上方のボウル部の内面に飛散すること、又は溜水面が乱れることによりその水位が上昇して溜水部より上方のボウル部の内面に汚物が付着すること、を抑制することができるポータブルトイレ装置を提供することを目的とする。
【課題を解決するための手段】
【０００８】
上述した目的を達成するために、本発明は、汚物を粉砕して排出する移動可能なポータブルトイレ装置であって、上方に向けて開口したボウル形状の汚物受け面を備えたボウル部と、ボウル部と連通する排水管路と、排水管路の下流側に接続される可撓性の排水ホースと、ボウル部下方に溜水面を形成するように、排水管路の上流側に溜水を貯留する溜水部と、ボウル部に洗浄水を供給する給水部と、溜水部に貯留された溜水内に配置されると共に溜水部内に回転流を発生させる回転体と、を有し、溜水部は、回転体近傍に形成され、回転体近傍に第１回転流を発生させる第１回転流発生部と、溜水面に第１回転流とは異なる回転流である第２回転流を発生させる第２回転流発生部とを備え、第１回転流発生部は、回転体の回転により、第１回転流を発生させ、この第１回転流により汚物を粉砕し、第２回転流発生部は、溜水面の近傍において第１回転流よりも流速が遅い第２回転流を発生させ、この第２回転流により溜水面近傍の汚物を第１回転流発生部へ移動させる。
このように構成された本発明においては、ポータブルトイレ装置の溜水部は、回転体の回転により、回転体近傍において汚物を粉砕する第１回転流を発生させる第１回転流発生部を有するため、第１回転流により回転体近傍に存在する固形汚物等の汚物を粉砕することができる。さらに、溜水部は、溜水面近傍の汚物を第１回転流発生部へ移動するように溜水面の近傍において第１回転流よりも流速が遅い第２回転流を発生する第２回転流発生部を有するように構成されている。従って、第２回転流により溜水面に浮遊する汚物やペーパーを第１回転流発生部まで引き込むように移動させ、第１回転流により粉砕することができる。このようにして、回転体近傍の汚物だけでなく、溜水面に浮遊する汚物やペーパーも粉砕することができる。また、流速の速い第１回転流は回転体近傍において発生されるため、汚物を粉砕する際に第１回転流が溜水面を乱すことを抑制することができる。さらに、第２回転流は溜水面の近傍において形成されるが、第１回転流よりも流速が遅いため、溜水面の乱れを抑制することができる。従って、汚物を粉砕する際に、溜水部内において固形汚物、浮遊汚物、ペーパーのような全ての種類の汚物を粉砕する強力な水流を形成する場合においても、汚物が溜水面からボウル部の外部に飛散すること、汚物が溜水面から溜水部より上方のボウル部の内面に飛散すること、又は溜水面が乱れることによりその水位が上昇して溜水部より上方のボウル部の内面に汚物が付着すること、を抑制することができる。
【０００９】
本発明において、好ましくは、回転体は、上面視においてボウル部下方の溜水面とは重ならない位置に設けられ、第１回転流発生部及び第２回転流発生部は、上面視において水平方向に並んで形成され、第１回転流及び第２回転流は、それぞれ上面視において水平方向に回転する回転流として形成される。
このように構成された本発明においては、第１回転流及び第２回転流が、それぞれ上面視において水平方向に回転する回転流を形成するので、第１回転流及び第２回転流を鉛直方向に形成する場合に比べて、溜水部の高さ方向の大きさを大きくすることなく第１回転流及び第２回転流を形成することができる。さらに、例えば、第１回転流及び第２回転流を鉛直方向に形成しようとする場合に、溜水部の高さ方向の大きさが大きくなり、新たに仕切り板を設ける必要が生じ、構造が複雑になってしまうことを防ぐことができる。さらに、例えば、溜水部の高さ方向の大きさが大きくなることにより、座面が高くなってしまうデメリットが生じるのを防ぐことができる。さらに、例えば、構造が複雑になって、汚物が溜水部に残りやすくなることを防ぐことができる。従って、シンプルな構造且つ溜水部の高さ方向の大きさを大きくすることなく溜水部を形成し、第１回転流と第２回転流を形成することができる。また、回転体は、上面視において溜水部の溜水面とは重ならない位置に設けられているので、第１回転流を溜水面とは重ならない位置に形成することができる。従って、汚物を粉砕する際に第１回転流が溜水面を乱すことをより確実に抑制することができる。また、第１回転流発生部及び第２回転流発生部は、上面視において水平方向に並んで形成されるので、第１回転流及び第２回転流は、それぞれ上面視において水平方向に並んで形成され、さらに、上面視において水平方向に回転する回転流を形成する。流速の速い第１回転流は、溜水面とは重ならない位置に形成され、流速の遅い第２回転流は、溜水面の近傍に形成されるので、溜水面の乱れをより確実に抑制することができる。
【００１０】
本発明において、好ましくは、回転体の回転軸は、鉛直方向に延びている。
このように構成された本発明においては、回転体は、鉛直方向に延びる回転軸を中心に回転するので、簡易な構成で水平方向に回転する第１回転流を形成できる。
【００１１】
本発明において、好ましくは、第１回転流発生部及び第２回転流発生部は、第２回転流が、第１回転流とは反対の方向に回転するように配置されている。
このように構成された本発明においては、上面視において水平方向に並んで形成されている第１回転流及び第２回転流が干渉しにくくなり、第１回転流及び第２回転流のそれぞれを維持することができる。
【００１２】
本発明において、好ましくは、第１回転流発生部は、上面視において、その内壁の少なくとも一部が、回転体の回転軸を中心とする仮想円に沿った壁面となるように形成されている。
このように構成された本発明においては、第１回転流発生部において、回転体により発生させる回転流が、回転体の回転軸を中心とする仮想円に沿った壁面に沿って流れることができる。従って、第１回転流発生部内の水流の乱れを抑制することができ、より効率的に第１回転流を発生させることができる。
【００１３】
本発明において、好ましくは、第２回転流発生部は、上面視において、第１回転流発生部と反対側の壁面が略円弧形状となるように形成されている。
このように構成された本発明においては、第２回転流発生部において、水流が、第１回転流発生部と反対側の円弧形状の壁面に沿って流れることができる。従って、第２回転流発生部内の水流の乱れを抑制することができ、より確実に第２回転流を発生させることができる。これにより、溜水面に浮遊する汚物やペーパーをより確実に第１回転流発生部まで移動させ且つ粉砕することができる。
【００１４】
本発明において、好ましくは、回転体は、溜水部内に一つのみ設けられ、回転体により発生された第１回転流が、第２回転流発生部における第２回転流を誘発させる。
このように構成された本発明においては、回転体が溜水部内に一つのみ設けられた簡素な構成により、第１回転流発生部が第１回転流を発生させ、第１回転流が、第２回転流発生部における第２回転流を誘発させることができる。
【００１５】
本発明において、好ましくは、溜水部には、第１回転流発生部と第２回転流発生部との間に、第１回転流の一部を第２回転流発生部側へと分流させる分流部が設けられている。
このように構成された本発明においては、分流部が第１回転流の一部を第２回転流発生部側へと分流させ、第１回転流が第２回転流発生部における第２回転流を発生させやすくすることができる。よって、第２回転流をより確実に形成しやすくなり、溜水面に浮遊する汚物やペーパーをより確実に粉砕することができる。
【００１６】
本発明において、好ましくは、溜水部には、分流部から第２回転流発生部側へと向かう水流を壁面に沿って誘導する誘導部が、溜水部の水平断面において、分流部よりも第２回転流発生部側の内壁面に設けられている。
このように構成された本発明においては、誘導部が分流部から第２回転流発生部側へと向かう水流を壁面に沿って誘導するので、分流部よりも第２回転流発生部側の内壁面上における水流の乱れが生じにくくなり、第２回転流を発生させやすくすることができる。従って、第２回転流をより確実に発生させることができる。
【００１７】
本発明において、好ましくは、回転体は、溜水部内に貯留されている溜水の上部に配置されている。
このように構成された本発明においては、回転体は、溜水部内に貯留されている溜水内の上部に配置されているので、回転体が溜水内の下部に配置される場合に比べて、高さ方向において溜水面の比較的に近くに回転体が配置される。従って、回転体により発生させる回転流が高さ方向において溜水面の比較的に近くに形成され、より確実に第２回転流を発生させることができる。また、回転体を溜水の上部に配置することにより回転体に溜水部内で沈殿した汚物を付着しにくくすることができる。
【００１８】
本発明において、好ましくは、第２回転流発生部は、第２回転流の外周側の流れを中心側に向けるようにガイドするガイド部を有する。
このように構成された本発明においては、ガイド部により第２回転流の外周側の流れを中心側に向けることができる。従って、第２回転流の外周側の流れの乱れにより、汚物の粉砕中に溜水面近傍上方に汚物が付着することを抑制することができる。
【００１９】
本発明において、好ましくは、溜水面を取り囲むボウル部の壁面が、緩やかな傾斜の緩傾斜部と、緩傾斜部よりも急な傾斜の急傾斜部を備え、ガイド部は、壁面の曲率半径が次第に小さくなるように形成され、これにより、ガイド部によりガイドされる第２回転流の回転中心が緩傾斜部側に偏心される。
このように構成された本発明においては、ガイド部により、第２回転流の回転中心を緩傾斜部側に偏心させることができる。第２回転流の回転中心部では、周辺部に比べて溜水面の上昇が抑制される。よって、第２回転流の形成により溜水面が上昇した場合においても、緩傾斜部側の水位は上昇しにくく、溜水が緩傾斜部側の面上に比較的広く広がって逆流しているように見えることを抑制することができる。一方、急傾斜部側は、水が比較的広がりにくく、逆流しているように見えにくいので、第２回転流により溜水面が比較的大きく上昇してもこれが目立ちにくい。このように、第２回転流が発生している際に、ガイド部により急傾斜部側の溜水面よりも緩傾斜部側の溜水面を低くできるため、溜水面が上昇して緩傾斜部上に広がることを抑制することができる。
【００２０】
本発明において、好ましくは、さらに、溜水部内で粉砕した汚物を洗浄水とともに圧送して排水管路の下流側へ排出する圧送部を備える。
このように構成された本発明においては、圧送部により、粉砕された汚物を洗浄水とともに圧送し、より確実に排水管路の下流側へ排出することができる。
【００２１】
本発明において、好ましくは、さらに、上記溜水部内で粉砕した汚物を洗浄水とともに吸引して上記排水管路の下流側へ排出する吸引装置を備える。
このように構成された本発明においては、吸引装置により、粉砕された汚物を洗浄水とともに吸引し、より確実に排水管路の下流側へ排出することができる。
【発明の効果】
【００２２】
本発明のポータブルトイレ装置によれば、汚物を粉砕する際に、汚物が溜水面からボウル部の外部に飛散すること、汚物が溜水面から溜水部より上方のボウル部の内面に飛散すること、又は溜水面が乱れることによりその水位が上昇して溜水部より上方のボウル部の内面に汚物が付着すること、を抑制することができる。
【図面の簡単な説明】
【００２３】
【図１】本発明の実施形態によるポータブルトイレ装置を後方斜め上方から見た全体斜視図である。
【図２】本発明の実施形態によるポータブルトイレ装置を示す断面図である。
【図３】本発明の実施形態によるポータブルトイレ装置のボウル部を示す上面図である。
【図４】本発明の実施形態によるポータブルトイレ装置の粉砕装置の回転体を示す側面図である。
【図５】本発明の実施形態によるポータブルトイレ装置の粉砕装置の回転体を下方から見た底面図である。
【図６】図２に示すポータブルトイレ装置に使用者が排泄し、汚物がボウル部内に入った状態を概略的に示す図である。
【図７】図２に示すポータブルトイレ装置において、洗浄動作が実行される状態を概略的に示す図である。
【図８】図２に示すポータブルトイレ装置において、溜水面の水位を所定水位まで下げるように洗浄水を排水させる水位下げ動作が実行される状態を概略的に示す図である。
【図９】図２に示すポータブルトイレ装置において、汚物の粉砕動作が実行される状態を概略的に示す図である。
【図１０】図２に示すポータブルトイレ装置において、洗浄水の圧送動作が実行される状態を概略的に示す図である。
【図１１】図２に示すポータブルトイレ装置において、溜水を形成するように洗浄水を給水する給水動作が実行される状態を概略的に示す図である。
【図１２】本発明の実施形態によるポータブルトイレ装置の溜水部及び回転体を概略的に示す断面図である。
【図１３】図１２のXIII−XIII線に沿って見た断面図である。
【図１４】図１２のXIV−XIV線に沿って見た断面図である。
【図１５】図１２のXV−XV線に沿って見た断面図である。
【図１６】図１２のXVI−XVI線に沿って見た断面図である。
【図１７Ａ】図２に示すポータブルトイレ装置において、第２回転流が発生する前の溜水面の状態を概略的に示す図である。
【図１７Ｂ】図２に示すポータブルトイレ装置において、第２回転流の回転中心が緩傾斜部側に偏心されている場合の溜水面の状態を概略的に示す図である。
【図１７Ｃ】図２に示すポータブルトイレ装置において、第２回転流の回転中心が緩傾斜部側に偏心されている場合に、汚物を含む洗浄水が急傾斜部側に流出する状態を概略的に示す図である。
【図１８Ａ】比較例のポータブルトイレ装置において、第２回転流が発生する前の溜水面の状態を概略的に示す図である。
【図１８Ｂ】比較例のポータブルトイレ装置において、第２回転流の回転中心が緩傾斜部側に偏心されていない場合の溜水面の状態を概略的に示す図である。
【図１８Ｃ】比較例のポータブルトイレ装置において、第２回転流の回転中心が緩傾斜部側に偏心されていない場合に、汚物を含む洗浄水が緩傾斜部側及び急傾斜部側に流出する状態を概略的に示す図である。
【発明を実施するための形態】
【００２４】
次に、添付図面を参照して、本発明の実施形態によるポータブルトイレ装置について説明する。最初に、図１及び図２により、本発明の実施形態によるポータブルトイレ装置の全体構造を説明する。
【００２５】
図１に示すように、本発明の実施形態によるポータブルトイレ装置１は、便所以外の場所にも配置できる水洗式の便器装置であり、戸建て住宅、高齢者施設又は病院等（以下「建物」と称する）において、通常のトイレ空間以外の場所、例えば、介護用に使用者の居室、寝室内のベッドサイド等に配置されるトイレ装置として使用される。高齢者や病気の人などで、トイレまで歩いていくことが困難又は比較的負担に感じる人にも、自分で居室において使用することができる水洗式の便器装置となっている。
【００２６】
ポータブルトイレ装置１は、便器本体２と、便器本体２に洗浄水を供給する給水部４と、便器本体２を支持するフレーム６と、を備えている。
【００２７】
また、ポータブルトイレ装置１は、移動可能な非据え付け型の装置である。ポータブルトイレ装置１は、フレーム６のフレーム基部６ａが床Ｆに固定されておらず、使用者又は事業者等によって車輪１ａ等を利用して移動可能に形成されている。
【００２８】
給水部４は、建物側の給水設備と可撓性の給水管８を介して接続されている。給水部４は、便器本体２の後方上部に設けられ、ボウル部１０に形成された吐水口１０ｃからボウル部１０に洗浄水を供給する。なお、給水部４は、貯水タンクから洗浄水を供給するタンク方式のものであってもよい。給水管８は給水ホース等により形成される。
【００２９】
図２に示すように、便器本体２は、便器本体２の前方側に設けられた汚物を受けるボウル部１０と、ボウル部１０の底部と連通するように設けられて汚物を洗浄水と共に排出する排水トラップ管路（排水管路）１２と、ボウル部１０下方に形成された溜水部１４と、を備えている。
【００３０】
ボウル部１０は、上方に向けて開口したボウル形状の汚物受け面１０ｄを備えている。排水トラップ管路１２は、上方に延びる上昇管１２ａを有し、排水トラップを形成する。排水トラップ管路１２は、建物側の排水設備と排水トラップ管路１２の下流側に接続される可撓性の排水管１６を介して接続されている。粉砕された汚物は、排水トラップ管路１２から排水管１６を介して排出される。排水管１６は排水ホース等により形成される。
【００３１】
図２に示すように、ポータブルトイレ装置１は、さらに、汚物を粉砕する粉砕装置１８と、この粉砕された汚物を排水管１６に圧送する圧送装置（圧送部）２０と、粉砕装置１８と圧送装置２０との間に設けられるフィルタ２２と、使用者が操作する操作部（図示せず）と、ポータブルトイレ装置１の洗浄動作及び粉砕圧送動作等を制御する制御部２４と、を備えている。
【００３２】
粉砕装置１８は、回転流を発生させることにより汚物を粉砕する。粉砕装置１８は、ボウル部１０後方の下方側且つ溜水部１４の上部側に設けられる。この粉砕装置１８は、溜水部１４に貯留された溜水内に配置されると共に汚物を粉砕するように溜水部１４内に回転流を発生させる回転体２６と、回転体２６の回転軸２８と、回転体２６及び回転軸２８を駆動させる電動モーター３０とを備えている。
【００３３】
図４及び図５に示すように、回転体２６は、溜水部１４内で汚物を粉砕する水流を形成するための円盤を形成する。この回転体２６の下側の表面には、下方に立ち上がる複数の突起２６ａが形成されている。これらの突起２６ａにより洗浄水及び汚物の回転流を形成し易くなっている。なお、回転体２６は、回転流を発生できるものであれば、カッター等の刃により物理的に汚物を粉砕する粉砕部であってもよい。
【００３４】
回転軸２８は、その上部が電動モーター３０に取り付けられ、鉛直方向下方に延び、その下部が回転体２６の中心に取付けられている。回転軸２８は、溜水部１４を貫通して回転体２６まで延び、電動モーター３０の駆動力を回転体２６まで直接的に伝達している。なお、回転軸２８に代えて、回転軸は、溜水部１４の天井面を貫通しないように、マグネット等を利用した非接触式の回転伝達機構により形成され、電動モーター３０の駆動力を溜水部１４を介して回転体２６まで間接的に伝達するように構成されていてもよい。電動モーター３０は、ＤＣブラシレスモーターであり、可変速制御が可能となっている。
【００３５】
圧送装置２０は、高揚程が実現可能な遠心式ポンプを形成している。圧送装置２０は、溜水部１４内で粉砕した汚物を洗浄水とともに圧送して排水トラップ管路１２の下流側へ排出させる。圧送装置２０は、ポンプ室３２と、ポンプ室３２の内側で回転されるインペラ３４と、インペラ３４の回転軸３６と、インペラ３４及び回転軸３６を駆動させる電動モーター３８とを備えている。
【００３６】
ポンプ室３２の中央部の入口には、溜水部１４のフィルタ２２の下部から延びる流路が接続され、ポンプ室３２の上部の外周部には、排水トラップ管路１２が接続される。
インペラ３４は、円盤形状の円盤部３４ａと、円盤部３４ａから部分的に突出して設けられた突起部３４ｂとを備えている。インペラ３４の回転によって発生する遠心力により、汚物及び洗浄水がポンプ室３２から排水トラップ管路１２に向かって比較的強力に押し出され、且つ圧送される。
【００３７】
圧送装置２０は、ポータブルトイレ装置１の後方下部において横置きに配置されている。よって、回転軸３６は、便器本体２の前後方向と平行なほぼ横向きに延びるように配置されている。従って、便器本体２の高さが上昇することを抑制することができる。回転軸３６は、その基部が電動モーター３８に取り付けられ、その先端が円盤部３４ａの中心に取付けられている。回転軸３６は、ポンプ室３２を貫通してインペラ３４まで延び、電動モーター３８の駆動力をインペラ３４まで直接的に伝達している。なお、回転軸３６に代えて、回転軸は、ポンプ室３２の側壁を貫通しないように、マグネット等を利用した非接触式の回転伝達機構により形成され、電動モーター３８の駆動力をポンプ室３２を介してインペラ３４まで間接的に伝達するように構成されていてもよい。電動モーター３８は、ＤＣブラシレスモーターであり、可変速制御が可能となっている。なお、圧送装置２０は、排水トラップ管路１２の下流側に設けられる排水の真空吸引装置、他のタイプの吸引装置等の吸引装置に変更されることができる。このような吸引装置により、溜水部１４内で粉砕された粉砕後の汚物を洗浄水とともに吸引して排水トラップ管路１２の下流側へ排出するようにしてもよい。
【００３８】
フィルタ２２は、粉砕装置１８の下方の溜水部１４の底面に配置される。フィルタ２２は、所定の大きさの多数の通過開口２２ａを形成する。所定以下の大きさに粉砕された汚物のみが通過開口２２ａを通過することができ、一方、所定の大きさより大きな汚物は通過が規制されて溜水部１４内のフィルタ２２上に残る。
【００３９】
制御部２４は、使用者による操作部の操作又は自己の設定により、給水部４、粉砕装置１８及び圧送装置２０を制御する。制御部２４は、これらの制御を行うためのＣＰＵ、メモリ等を内蔵している。制御部２４は、給水部４、粉砕装置１８及び圧送装置２０等と電気的に接続され、これらの装置等に作動信号を送り、各装置等を作動させるようになっている。
【００４０】
次に、図２、図３、図６乃至図１０により、ポータブルトイレ装置１の溜水部１４について説明する。
溜水部１４は、ボウル部１０下方に形成されている。溜水部１４は、ポンプ室３２を介して排水トラップ管路１２と連通している。溜水部１４は、ボウル部１０下方に溜水面W０（待機状態の溜水面）を形成するように、排水トラップ管路１２の上流側に溜水を貯留する。溜水部１４は、ボウル部１０の下部から後方側に延びるＬ字形状の貯溜部を形成している。溜水部１４は、汚物を粉砕する時点において、溜水面Ｗ０より下方側且つ後方側に延びる部分において洗浄水を貯溜している状態となっている。
【００４１】
溜水部１４は、上面視においてボウル部１０下方の溜水面Ｗ０とは重ならない位置に回転体２６を取り付けている。回転体２６は、上面視において溜水面Ｗ０より後方側の位置且つインペラ３４より前方側の位置に配置されている。この回転体２６は、溜水部１４内の一か所に一つのみ設けられている。溜水部１４は、回転体２６を、洗浄前の溜水面Ｗ０の高さ位置より低い位置且つ溜水部１４内に貯留されている溜水の上部の高さ位置に配置するように形成されている。
【００４２】
さらに、溜水部１４は、回転体２６近傍に形成され第１回転流を回転体２６近傍に発生させる第１回転流発生部４０と、第１回転流とは異なる回転流である第２回転流を溜水面Ｗ３（後述する汚物の粉砕中の溜水面）に発生させる第２回転流発生部４２とを備えている。
【００４３】
第１回転流発生部４０は、回転体２６の回転により、第１回転流Ｆ１を発生させ、この比較的流速の速い第１回転流Ｆ１により汚物を粉砕させる。第１回転流発生部４０は、回転体２６が配置されている側の溜水部１４に形成されている。この第１回転流発生部４０は、上面視において、その内壁の少なくとも一部が、回転体２６の回転軸２８を中心とする仮想円に沿った壁面４０ａとなるように形成されている
【００４４】
第２回転流発生部４２は、溜水面Ｗ３の近傍において第１回転流Ｆ１の流速Ｖ１よりも遅い流速Ｖ２の第２回転流Ｆ２を発生させ、この比較的流速の遅い第２回転流により溜水面Ｗ３近傍の汚物を第１回転流発生部４０へ移動させる。第２回転流発生部４２は、上面視において、第１回転流発生部４０と反対側の壁面４２ａが略円弧形状となるように形成されている。
【００４５】
第１回転流発生部４０及び第２回転流発生部４２は、上面視において水平方向に並んで形成される。溜水部１４には、第１回転流発生部４０と第２回転流発生部４２との間に、第１回転流Ｆ１の一部を第２回転流発生部４２側へと分流させる分流部４４が設けられている。分流部４４は、回転体２６の前端近傍における溜水部１４の内壁がわずかに内側に突出する凸部を形成している。なお、分流部４４は、平坦面により形成されていてもよい。
溜水部１４には、分流部４４から第２回転流発生部４２側へと向かう水流を壁面に沿って誘導する誘導部４６が、溜水部１４の水平断面において、第１回転流発生部４０と第２回転流発生部４２との間の分流部４４よりも第２回転流発生部４２側の内壁に設けられている。誘導部４６は、分流部４４から壁面に沿って流れる水流が剥離しにくくなるように、分流部４４側の壁面と、第２回転流発生部４２との間を滑らかな湾曲面により形成している。
【００４６】
第１回転流発生部４０及び第２回転流発生部４２は、第２回転流Ｆ２が、第１回転流Ｆ１とは反対の方向に回転するように、溜水部１４内で前後に並んで配置されている。
【００４７】
さらに、図３及び図７、図８、図９に示すように、第２回転流発生部４２は、第２回転流Ｆ２の外周側の流れを中心側に向けるようにガイドするガイド部４８を有する。ここで、溜水面Ｗ３を取り囲むボウル部１０の周囲の壁面が、緩やかな傾斜の緩傾斜部１０ａと、緩傾斜部１０ａよりも急な傾斜の急傾斜部１０ｂを備えている。ガイド部４８は、壁面の曲率半径が前方から後方に向けて次第に小さくなるように形成され、ガイド部４８によりガイドされる第２回転流Ｆ２の回転中心が緩傾斜部１０ａ側に偏心される。
【００４８】
次に、図６乃至図１７により、上述した本発明の実施形態によるポータブルトイレ装置の動作（作用）を説明する。図６乃至図１１において、斜線部分は、洗浄水が貯留している状態を概略的に示している。
【００４９】
図６に示すように、使用者が便器本体２を使用し、汚物（大便、小便、トイレットペーパー等）Ａがボウル部１０内に入った状態となる。この状態においては、給水部４は停止された状態であり、粉砕装置１８及び圧送装置２０も停止された状態である。溜水面Ｗ１は、洗浄前の待機状態の溜水面Ｗ０よりも汚物Ａによりわずかに上昇している。
【００５０】
次に、図７に示すように、使用者が操作部の操作スイッチ等を操作することにより、洗浄動作が開始される。操作部の操作スイッチ等が操作されると、その操作指令が制御部２４に送信され、制御部２４が、その指令に基づいて給水部４に給水指令を送り、給水部４からボウル部１０に所定時間給水が行われ、ボウル部１０が洗浄水Ｂによって洗浄される。汚物Ａは、洗浄水Ｂにより溜水部１４中に移動された状態となる。溜水面Ｗ２は、洗浄水Ｂの給水により溜水面W１よりもさらに上昇した位置となる。依然として、粉砕装置１８及び圧送装置２０は停止された状態である。
【００５１】
次に、図８に示すように、制御部２４が、圧送装置２０を駆動させ、洗浄水Ｃを、溜水面Ｗ２の水位を溜水面Ｗ３の位置まで下げるような所定流量だけ排水させる。溜水部１４内に存在する洗浄水量が減少され、溜水部１４の溜水面が溜水面Ｗ３の位置となる。制御部２４が、圧送装置２０を所定時間駆動させた後、再び停止させる。このとき、給水部４は停止された状態のままであり、粉砕装置１８も停止された状態のままである。汚物Ａのうち所定の大きさ以上の汚物は、フィルタ２２を通過せず、溜水部１４内に留まっている。
【００５２】
次に、図９に示すように、制御部２４が、粉砕装置１８を駆動させ、汚物の粉砕動作を行う。このとき、圧送装置２０は、停止された状態のままである。従って、溜水部１４内で汚物が回転流により粉砕される。給水部４は停止された状態のままである。汚物Ａは粉砕され、所定の大きさ以下の汚物ａとなる。
【００５３】
ここで、図１２乃至図１６により、溜水部１４における汚物の粉砕動作を詳細に説明する。図１２乃至図１６において、流速の速い順に、流れを示す矢印を、最も太い実線の矢印、次に太い実線の矢印、細い実線の矢印により示している。
制御部２４は、粉砕装置１８の電動モーター３０を作動させ、回転体２６を回転させる。回転体２６の回転により、回転体２６の近傍に回転流が生じる。第１回転流発生部４０は、この回転流から、第１回転流Ｆ１を発生させる。第１回転流Ｆ１は、回転体２６の下方側に形成される。第１回転流Ｆ１は、図１４、図１５及び図１６に示すように、上面視において水平方向に回転する回転流として形成される。このとき、第１回転流Ｆ１は、壁面４０ａに沿って円の外周に滑らかに沿うような旋回流を形成する。さらに、第１回転流Ｆ１は、図１２に示すように、縦方向断面においては、第１回転流発生部４０の外周に沿って下降する流れ及び第１回転流発生部４０の中心近傍から上昇する流れを形成している。このように、第１回転流Ｆ１は、回転体２６の近傍領域において、洗浄水及び汚物Ａ（図８等）の水平方向及び鉛直方向に強力に粉砕する流れを形成する。
【００５４】
第１回転流Ｆ１のうち分流部４４により分流された水流が遠心力により第２回転流発生部４２側に向かって流れる。よって、第１回転流Ｆ１が、第２回転流発生部４２における第２回転流Ｆ２を誘発させる。分流部４４から第２回転流発生部４２側へと向かう水流は、誘導部４６に沿って、誘導部４６の壁面からの剥離が抑制されるとともに、第２回転流発生部４２の内周に沿って流れる第２回転流Ｆ２を形成する。
【００５５】
第２回転流Ｆ２は、図１３乃至図１６に示すように、上面視において水平方向に回転する回転流として形成される。このとき、第２回転流Ｆ２は、壁面４２ａに沿って円弧の外周に滑らかに沿うような旋回流を形成する。第１回転流Ｆ１及び第２回転流Ｆ２は、上面視において水平方向に並んで形成される。第２回転流Ｆ２は、第１回転流Ｆ１と反対の回転方向に回転するので、第２回転流Ｆ２の回転流と第１回転流Ｆ１の回転流とが互いに干渉することを抑制し、且つ洗浄水が互いの回転流間をスムーズに行き来することもできる。
【００５６】
第２回転流Ｆ２は、図１２に示すように、縦方向断面においては、誘導部４６の近傍から溜水面Ｗ３に向かって上昇し、溜水面Ｗ３に第２回転流Ｆ２を形成する。よって、回転体２６の位置よりも上方の位置においても第２回転流Ｆ２を形成する。
第２回転流Ｆ２は、図３及び図１３に示すように、渦状の旋回流を形成し、この旋回流の中心近傍から下降する下降流を形成する。第２回転流Ｆ２は、溜水面Ｗ３上の浮遊系汚物を中心近傍から下方に引き込む流れを形成する。第２回転流Ｆ２は、縦方向断面において、第２回転流発生部４２の中心領域から下方に流れ、溜水部１４の下方から第１回転流発生部４０側に流れ、第１回転流発生部４０の中心近傍から上方に流れる循環流も形成する。このように、第２回転流Ｆ２は、第１回転流発生部４０近傍において第１回転流Ｆ１に再び合流する。第１回転流Ｆ１及び第２回転流Ｆ２は溜水部１４内の複数の部分で繋がるようにされている。第２回転流Ｆ２の流速Ｖ２は、第１回転流Ｆ１の流速Ｖ１よりも遅く、第２回転流Ｆ２は、洗浄水及び汚物Ａ（図８等）を、溜水面Ｗ３の近傍から第１回転流発生部４０に移動させる流れを形成する。このように、第２回転流Ｆ２により、汚物Ａが第１回転流Ｆ１側に搬送され、第１回転流Ｆ１により汚物Ａが粉砕され、所定の大きさ以下の汚物ａとされる。
【００５７】
さらに、第２回転流Ｆ２は、図１３乃至図１５に示すように、ガイド部４８により第２回転流Ｆ２の外周側の流れが中心側に向けるようにガイドされている。よって、比較的洗浄水の流速が速い第２回転流Ｆ２の外周側の流れが溜水面Ｗ３の中心向きに集まり、流れが広がらないように抑制される。また、第２回転流Ｆ２の外周側の洗浄水の流れが乱れることにより、汚物が溜水面Ｗ３近傍上方に付着することを抑制することができる。
【００５８】
また、図３、図１３及び図１７等に示すように、ガイド部４８は、壁面の曲率半径が前方から後方に向けて次第に小さくなるように形成されているので、ガイド部４８によりガイドされる第２回転流Ｆ２の回転中心Ｘが緩傾斜部１０ａ側に偏心される。図１７Ａ乃至図１７Ｃにより、第２回転流Ｆ２の回転中心Ｘが緩傾斜部１０ａ側に偏心される場合の溜水面Ｗ３の状態の変化を概略断面図により説明する。
図１７Ａにおいては、溜水部１４において、第２回転流Ｆ２が発生する前の溜水面Ｗ３の状態を示している。図１７Ｂにおいては、溜水部１４において、第２回転流Ｆ２の回転中心Ｘが緩傾斜部１０ａ側に偏心されている場合の溜水面Ｗ３の状態を示している。回転中心Ｘは回転中心Ｘ０（図１８Ｂ参照）よりも前方側の緩傾斜部１０ａ側に移動されている。溜水面Ｗ３は、第２回転流Ｆ２の回転中心部の位置が最も低く、回転中心部から周辺部側に向かうにつれ、遠心力により溜水面Ｗ３が上方に盛り上がる状態となる。図１７Ｃに示すように、回転中心Ｘが緩傾斜部１０ａ側に偏心されているので、回転中心Ｘから緩傾斜部１０ａまでの距離ｌ１は比較的短く、粉砕されている汚物を含む洗浄水は盛り上がり高さｈ１が比較的低くなり、汚物等が緩傾斜部１０ａ側に流出することが抑制される。盛り上がり高さｈ１は、回転中心Ｘから緩傾斜部１０ａの内側端部までの溜水面Ｗ３の盛り上がり高さを示している。
一方、回転中心Ｘから急傾斜部１０ｂまでの距離ｌ２は距離ｌ１よりも遠くなり、溜水面Ｗ３の盛り上がり高さｈ２は盛り上がり高さｈ１よりも高くなり、汚物を含む洗浄水が急傾斜部１０ｂ側に流出する。盛り上がり高さｈ２は、回転中心Ｘから急傾斜部１０ｂの内側端部までの溜水面Ｗ３の盛り上がり高さを示している。しかしながら、急傾斜部１０ｂ側の壁面の傾斜角度が比較的急であり、流出した洗浄水の急傾斜部１０ｂ上での流出高さが抑制される。さらに、見た目にも急傾斜部１０ｂ上への洗浄水の流出範囲及び面積を比較的目立たなくすることができる。
【００５９】
比較例として、図１８Ａ乃至図１８Ｃにより、第２回転流Ｆ２の回転中心Ｘ０が緩傾斜部１０ａ側に偏心されていない場合の溜水面Ｗ３の状態の変化を概略断面図により説明する。図１８Ａにおいては、溜水部１４において、第２回転流Ｆ２が発生する前の溜水面Ｗ３の状態を示している。図１８Ｂにおいては、溜水部１４において、第２回転流Ｆ２の回転中心Ｘ０が緩傾斜部１０ａ側に偏心されていない場合の溜水面Ｗ３の状態を示している。回転中心Ｘ０が緩傾斜部１０ａ側に偏心されていないので、回転中心Ｘ０から緩傾斜部１０ａまでの距離ｌ０は距離ｌ１（図１７Ｂ）よりも長く、汚物を含む洗浄水の盛り上がり高さｈ０は、盛り上がり高さｈ１よりも高くなる。従って、図１８Ｃに示すように、汚物を含む洗浄水が緩傾斜部１０ａの内側端部を超えて、緩傾斜部１０ａ側に流出する。このとき、緩傾斜部１０ａの傾斜角度が比較的緩やかであるので、流出した洗浄水が緩傾斜部１０ａ上で広範囲に広がりやすく、汚れが目立つこととなる。このように、比較例の第２回転流Ｆ２の回転中心Ｘ０が緩傾斜部１０ａ側に偏心されていない場合においては、汚物を含む洗浄水が緩傾斜部１０ａ上の広範囲に付着して広範囲を汚してしまう印象を与える可能性がある。
【００６０】
本実施形態については、図１０に戻って、汚物の粉砕が終了すると、制御部２４は、粉砕装置１８を停止させ、圧送装置２０を駆動させる。汚物ａは、フィルタ２２を通過することができる。圧送装置２０は、洗浄水及び汚物ａを排水トラップ管路１２を介して排水管１６に圧送（排出）する。溜水部１４内の洗浄水及び汚物ａはほぼ全て圧送装置２０により排出される。このようにして、溜水部１４内から汚物ａが排出される。
【００６１】
最後に、図１１に示すように、制御部２４は、給水部４を再び作動させ、ボウル部１０に給水を行う。よって、溜水部１４内に洗浄水が貯留され、溜水面Ｗ０の溜水が形成される。このとき、粉砕装置１８及び圧送装置２０は停止された状態となっている。制御部２４は、所定流量の洗浄水が給水されると給水部４を停止させ、一連の洗浄動作を終了させる。
【００６２】
次に、上述した本実施形態によるポータブルトイレ装置１による作用効果を説明する。
本実施形態によるポータブルトイレ装置１によれば、溜水部１４は、回転体２６により発生させる回転流から、回転体２６近傍において汚物を粉砕する第１回転流Ｆ１を発生させる第１回転流発生部４０を有するため、第１回転流Ｆ１により回転体２６近傍に存在する固形汚物等の汚物を粉砕することができる。さらに、溜水部１４は、溜水面Ｗ３近傍の汚物を第１回転流発生部４０へ移動するように溜水面Ｗ３の近傍において第１回転流Ｆ１よりも流速が遅い第２回転流Ｆ２を発生する第２回転流発生部４２を有するように構成されている。従って、第２回転流Ｆ２により溜水面Ｗ３に浮遊する汚物やペーパーを第１回転流発生部４０まで引き込むように移動させ、第１回転流Ｆ１により粉砕することができる。このようにして、回転体２６近傍の汚物だけでなく、溜水面Ｗ３に浮遊する汚物やペーパーも粉砕することができる。また、流速の速い第１回転流Ｆ１は回転体２６近傍において発生されるため、汚物を粉砕する際に第１回転流Ｆ１が溜水面Ｗ３を乱すことを抑制することができる。さらに、溜水面Ｗ３の近傍において形成される第２回転流Ｆ２は溜水面の近傍において形成されるが、第１回転流Ｆ１よりも流速が遅いため、溜水面Ｗ３の乱れを抑制することができる。従って、汚物を粉砕する際に、溜水部１４内において固形汚物、浮遊汚物、ペーパーのような全ての種類の汚物を粉砕する強力な水流を形成する場合においても、汚物が溜水面Ｗ３からボウル部１０の外部に飛散すること、汚物が溜水面Ｗ３から溜水部１４より上方のボウル部１０の内面に飛散すること、又は溜水面Ｗ３が乱れることによりその水位が上昇して溜水部１４より上方のボウル部１０の内面に汚物が付着すること、を抑制することができる。
【００６３】
また、本実施形態によるポータブルトイレ装置１によれば、第１回転流Ｆ１及び第２回転流Ｆ２が、それぞれ上面視において水平方向に回転する回転流を形成するので、第１回転流Ｆ１及び第２回転流Ｆ２を鉛直方向に形成する場合に比べて、溜水部１４の高さ方向の大きさを大きくすることなく第１回転流Ｆ１及び第２回転流Ｆ２を形成することができる。さらに、例えば、第１回転流Ｆ１及び第２回転流Ｆ２を鉛直方向に形成しようとする場合に、溜水部１４の高さ方向の大きさが大きくなり、新たに仕切り板を設ける必要が生じ、構造が複雑になってしまうことを防ぐことができる。さらに、例えば、溜水部１４の高さ方向の大きさが大きくなることにより、座面が高くなってしまうデメリットが生じるのを防ぐことができる。さらに、例えば、構造が複雑になって、汚物が溜水部１４に残りやすくなることを防ぐことができる。従って、シンプルな構造且つ溜水部１４の高さ方向の大きさを大きくすることなく溜水部１４を形成し、第１回転流Ｆ１と第２回転流Ｆ２を形成することができる。また、回転体２６は、上面視において溜水部１４の溜水面Ｗ３とは重ならない位置に設けられているので、第１回転流Ｆ１を溜水面Ｗ３とは重ならない位置に形成することができる。従って、汚物を粉砕する際に第１回転流Ｆ１が溜水面Ｗ３を乱すことをより確実に抑制することができる。また、第１回転流発生部４０及び第２回転流発生部４２は、上面視において水平方向に並んで形成されるので、第１回転流Ｆ１及び第２回転流Ｆ２は、それぞれ上面視において水平方向に並んで形成され、さらに、上面視において水平方向に回転する回転流を形成する。流速の速い第１回転流Ｆ１は、溜水面Ｗ３とは重ならない位置に形成され、流速の遅い第２回転流Ｆ２は、溜水面Ｗ３の近傍に形成されるので、溜水面Ｗ３の乱れをより確実に抑制することができる。
【００６４】
さらに、本実施形態によるポータブルトイレ装置１によれば、回転体２６は、鉛直方向に延びる回転軸２８を中心に回転するので、簡易な構成で水平方向に回転する第１回転流Ｆ１を形成できる。
【００６５】
さらに、本実施形態によるポータブルトイレ装置１によれば、上面視において水平方向に並んで形成されている第１回転流Ｆ１及び第２回転流Ｆ２が干渉しにくくなり、第１回転流Ｆ１及び第２回転流Ｆ２のそれぞれを維持することができる。
【００６６】
さらに、本実施形態によるポータブルトイレ装置１によれば、第１回転流発生部４０において、回転体２６により発生させる回転流が、回転体２６の回転軸２８を中心とする仮想円に沿った壁面４０ａに沿って流れることができる。従って、第１回転流発生部４０内の水流の乱れを抑制することができ、より効率的に第１回転流Ｆ１を発生させることができる。
【００６７】
さらに、本実施形態によるポータブルトイレ装置１によれば、第２回転流発生部４２において、水流が、第１回転流発生部４０と反対側の円弧形状の壁面４２ａに沿って流れることができる。従って、第２回転流発生部４２内の水流の乱れを抑制することができ、より確実に第２回転流Ｆ２を発生させることができる。これにより、溜水面Ｗ３に浮遊する汚物やペーパーをより確実に第１回転流発生部４０まで移動させ且つ粉砕することができる。
【００６８】
さらに、本実施形態によるポータブルトイレ装置１によれば、回転体２６が溜水部１４内に一つのみ設けられた簡素な構成により、第１回転流発生部４０が第１回転流Ｆ１を発生させ、第１回転流Ｆ１が、第２回転流発生部４２における第２回転流Ｆ２を誘発させることができる。
【００６９】
さらに、本実施形態によるポータブルトイレ装置１によれば、分流部４４が第１回転流Ｆ１の一部を第２回転流発生部４２側へと分流させ、第１回転流Ｆ１が第２回転流発生部４２における第２回転流Ｆ２を発生させやすくすることができる。よって、第２回転流Ｆ２をより確実に形成しやすくなり、溜水面Ｗ３に浮遊する汚物やペーパーをより確実に粉砕することができる。
【００７０】
さらに、本実施形態によるポータブルトイレ装置１によれば、誘導部４６が分流部４４から第２回転流発生部４２側へと向かう水流を壁面に沿って誘導するので、分流部４４よりも第２回転流発生部４２側の内壁面上における水流の乱れが生じにくくなり、第２回転流Ｆ２を発生させやすくすることができる。従って、第２回転流Ｆ２をより確実に発生させることができる。
【００７１】
さらに、本実施形態によるポータブルトイレ装置１によれば、回転体２６は、溜水部１４内に貯留されている溜水内の上部に配置されているので、回転体２６が溜水部１４の下部に配置される場合に比べて、高さ方向において溜水面Ｗ３の比較的に近くに回転体２６が配置される。従って、回転体２６により発生させる回転流が高さ方向において溜水面Ｗ３の比較的に近くに形成され、より確実に第２回転流Ｆ２を発生させることができる。また、回転体２６を溜水の上部に配置することにより回転体２６に溜水部１４内で沈殿した汚物を付着しにくくすることができる。
【００７２】
さらに、本実施形態によるポータブルトイレ装置１によれば、ガイド部４８により第２回転流Ｆ２の外周側の流れを中心側に向けることができる。従って、第２回転流Ｆ２の外周側の流れの乱れにより、汚物の粉砕中に溜水面Ｗ３近傍上方に汚物が付着することを抑制することができる。
【００７３】
さらに、本実施形態によるポータブルトイレ装置１によれば、ガイド部４８により、第２回転流Ｆ２の回転中心を緩傾斜部１０ａ側に偏心させることができる。第２回転流Ｆ２の回転中心部側では、周辺部に比べて溜水面Ｗ３の上昇が抑制される。よって、第２回転流Ｆ２の形成により溜水面Ｗ３が上昇した場合においても、緩傾斜部側の水位は上昇しにくく、溜水が緩傾斜部１０ａ側の面上に比較的広く広がって逆流しているように見えることを抑制することができる。一方、急傾斜部１０ｂ側は、水が比較的広がりにくく、逆流しているように見えにくいので、第２回転流Ｆ２により溜水面Ｗ３が比較的大きく上昇してもこれが目立ちにくい。このように、第２回転流Ｆ２が発生している際に、ガイド部４８により急傾斜部１０ｂ側の溜水面よりも緩傾斜部１０ａ側の溜水面Ｗ３を低くできるため、溜水面Ｗ３が上昇して緩傾斜部１０ａ上に広がることを抑制することができる。
【００７４】
さらに、本実施形態によるポータブルトイレ装置１によれば、圧送装置２０により、粉砕された汚物を洗浄水とともに圧送し、より確実に排水トラップ管路１２の下流側へ排出することができる。
【００７５】
さらに、本実施形態によるポータブルトイレ装置１によれば、吸引装置により、粉砕された汚物を洗浄水とともに吸引し、より確実に排水トラップ管路１２の下流側へ排出することができる。
【符号の説明】
【００７６】
１      ポータブルトイレ装置
１ａ    車輪
２      便器本体
４      給水部
６      フレーム
６ｂ    フレーム基部
８      給水管
１０    ボウル部
１０ａ  緩傾斜部
１０ｂ  急傾斜部
１０ｃ  吐水口
１２    排水トラップ管路
１２ａ  上昇管
１４    溜水部
１６    排水管
１８    粉砕装置
２０    圧送装置
２２    フィルタ
２２ａ  通過開口
２４    制御部
２６    回転体
２６ａ  突起
２８    回転軸
３０    電動モーター
３２    ポンプ室
３４    インペラ
３４ａ  円盤部
３４ｂ  突起部
３６    回転軸
３８    電動モーター
４０    第１回転流発生部
４０ａ  壁面
４２    第２回転流発生部
４２ａ  壁面
４４    分流部
４６    誘導部
４８    ガイド部
３４    インペラ
Ａ      汚物
ａ      汚物
Ｂ      洗浄水
Ｃ      洗浄水
Ｆ      床
Ｆ１    第１回転流
Ｆ２    第２回転流
ｌ０    距離
ｌ１    距離
ｌ２    距離
Ｖ１    流速
Ｖ２    流速
Ｗ０    溜水面
Ｗ１    溜水面
Ｗ２    溜水面
Ｗ３    溜水面
Ｘ      回転中心
Ｘ０    回転中心
【図１】
2018204218.tif 000003
【図２】
2018204218.tif 000004
【図３】
2018204218.tif 000005
【図４】
2018204218.tif 000006
【図５】
2018204218.tif 000007
【図６】
2018204218.tif 000008
【図７】
2018204218.tif 000009
【図８】
2018204218.tif 000010
【図９】
2018204218.tif 000011
【図１０】
2018204218.tif 000012
【図１１】
2018204218.tif 000013
【図１２】
2018204218.tif 000014
【図１３】
2018204218.tif 000015
【図１４】
2018204218.tif 000016
【図１５】
2018204218.tif 000017
【図１６】
2018204218.tif 000018
【図１７Ａ】
2018204218.tif 000019
【図１７Ｂ】
2018204218.tif 000020
【図１７Ｃ】
2018204218.tif 000021
【図１８Ａ】
2018204218.tif 000022
【図１８Ｂ】
2018204218.tif 000023
【図１８Ｃ】
2018204218.tif 000024